(57)【要約】      （修正有）【課題】  保水・給水能力に優れた吸上げ筒状体を得ること、低い樹木のみならず、高い樹木に対しても、優れた根腐れ防止効果を有する土中の停滞水吸上げ筒状体を得ること、および壁面、法面、人工護岸の植栽などの給水に有用な水吸上げ筒状を提供すること。【解決手段】  筒状布袋１の内部に孔径０．８５ｍｍ以下のセラミックス粉末２を充填した土中の停滞水吸上げ筒状体、とくに筒状体中のセラミックス粉末の充填密度が１．２ｇ／ｃｍ３以上である水吸上げ筒状体、該筒状体からなる土中の停滞水吸上げ筒状体および壁面、法面、人工護岸の植栽給水用水吸上げ筒状。【選択図】  図２
2005261424.tif 000002
【特許請求の範囲】
【請求項１】
筒状布袋の内部に粒径０．８５ｍｍ以下のセラミックス粉末を充填した水吸上げ筒状体。
【請求項２】
筒状体中のセラミックス粉末の充填密度が１．２ｇ／ｃｍ３以上である請求項１記載の水吸上げ筒状体。
【請求項３】
筒状体の水吸上げ高さが１日経過後６０ｃｍ以上、２日経過後７０ｃｍ以上である請求項１または２記載の水吸上げ筒状体。
【請求項４】
請求項１〜３のいずれかに記載の筒状体からなる土中の停滞水吸上げ筒状体。
【請求項５】
請求項１〜３のいずれかに記載の筒状体からなる給水用水吸上げ筒状体。
【請求項６】
請求項１〜３のいずれかに記載の筒状体からなる壁面、法面、人工護岸の植栽給水用水吸上げ筒状体。
【発明の詳細な説明】
【技術分野】
【０００１】
本発明は、水吸上げ筒状体、土中の停滞水吸上げ筒状体、給水用水吸上げ筒状体に関し、とくに樹木の保水・給水、植栽時の根腐れ防止に有用な土中の停滞水吸上げ筒状体、および壁面、法面、人工護岸の植栽給水に有用な水吸上げ筒状体に関する。
に関する。
【背景技術】
【０００２】
従来、樹木の保水・給水のため、また根腐れ防止のため、筒状ネット袋の内部に粒状のセラミックスを充填した土中の停滞水吸上げ筒状体は知られている（特許文献１）。しかしながら、粒状セラミックスは、粒状セラミックスの粒径が大きく、たとえば市販されている粒状のセラミックスは粒径２ｍｍ前後と大きいため、水吸上げ高さは１日経過後で２０ｃｍ程度、２日経過後で２５ｃｍ程度であり、保水・給水能力は充分優れているとはいえないし、また、低い樹木には根腐れ防止効果はあるが、高い樹木には根腐れ防止効果は期待できない。また、地中水、川の水、池の水または潅水時の余剰水を、壁面、法面、人工護岸の植栽用給水に使用する場合、通常潅水設備により行われているが、いまだに効率よく、しかも安価に給水する方法は実現していない。
【特許文献１】実用新案登録第３０５６０９７号（請求の範囲）
【発明の開示】
【発明が解決しようとする課題】
【０００３】
本発明は、上記従来技術の欠点を解消するためになされたものであり、保水・給水能力に優れた水吸上げ筒状体を提供すること、低い樹木のみならず、高い樹木に対しても、優れた根腐れ防止効果を有する土中の停滞水吸上げ筒状体を提供すること、および壁面、法面、人工護岸の植栽などの給水に有用な水吸上げ筒状を提供することを目的とする。
【課題を解決するための手段】
【０００４】
上記目的は、筒状布袋の内部に粒径０．８５ｍｍ以下のセラミックス粉末を充填した水吸上げ筒状体を提供することによって達成される。
また、上記目的は、筒状体中のセラミックス粉末の充填密度が１．２ｇ／ｃｍ３以上である上記水吸上げ筒状体を提供することによって、より好適に達成される。
さらにまた、上記目的は、筒状体の水吸上げ高さが１日経過後６０ｃｍ以上、２日経過後７０ｃｍ以上である上記水吸上げ筒状体を提供することによって、より好適に達成される。
【発明の効果】
【０００５】
本発明によれば、保水・給水能力の高い水吸上げ筒状体を得ることができ、また低い樹木のみならず、高い樹木に対しても、優れた根腐れ防止効果を有する土中の停滞水吸上げ筒状体を得ることができる。また、排水性の悪い土壌においても、大掛かりな排水工事を行なうことなく、植栽可能な土中の停滞水吸上げ筒状体を得ることができる。
さらにまた、本発明の水吸上げ筒状体は、垂直方向の水吸上げ能力が高いので、とくに河川の人工護岸の植栽の給水に、川の水を有効に利用することができる。また、植栽壁面または植栽法面には、下方に貯まった水を垂直方向に吸上げて壁面または法面に給水することができる。
【発明を実施するための最良の形態】
【０００６】
本発明において、粒径０．８５ｍｍ以下のセラミックス粉末とは、目開き０．８５ｍｍの篩を少なくとも５０％通過する粉末をいい、好適には７０％通過する粉末、さらに好適には少なくとも９０％通過する粉末である。粒径の大きいもの、例えば市販されている粒径２ｍｍ前後の粒状のセラミックスを使用したのでは、後述する比較例１から明らかなように、水吸上げ高さが充分でない。
【０００７】
セラミックスは、珪石と粘土質を主たる成分とする原料を高温処理、たとえば１０００℃以上で焼成して得られるものであり、高温処理して得たセラミックスを粉末化することにより、目的とする粒径０．８５ｍｍ以下のセラミックス粉末を得ることができる。
【０００８】
本発明においては、筒状布袋にセラミックス粉末を充填した後、振動あるいは圧縮することにより、充填密度を１．２ｇ／ｃｍ３以上、さらには１．３ｇ／ｃｍ３以上にすることが好適である。上限については１．９ｇ／ｃｍ３以下、さらには１．８ｇ／ｃｍ３以下であることが好適である。充填密度がこの範囲にあるとき水吸上げ高さがさらに大きくなる。ここで、充填密度とはセラミックス充填重量（ｇ）／筒状布袋容積（ｃｍ３）により測定された値である。
【０００９】
筒状布袋に上記のセラミックス粉末を充填した筒状体の水吸上げ高さは１日経過後で６０ｃｍ以上を示し、２日経過後で７０ｃｍ以上を示す。ここで、吸上げ高さとは水槽に５ｃｍ筒状体を漬け、水面から吸上がった水分の高さを言う。
【００１０】
筒状布袋としては、充填されるセラミックス粉末が実質的に流出しない布状のもの、たとえばポリエチレン、ポリプロピレン、ポリエステル、ポリアミドなどの各種合成樹脂製の布状袋が好適に使用される。ここで布としては織物、編物、網状物などが挙げられる。
【００１１】
筒状布袋としては、長さ３０〜１５０ｃｍ、さらには６０〜１００ｃｍが好適であり、筒状の径２〜１０ｃｍ、さらには３〜８ｃｍが好適である。  
筒状布袋は、横方向に２つまたはそれ以上連接したものも使用できる。
筒状布袋にセラミックス粉末を充填し、所望の充填密度に調整した後、袋の開口部を紐で結ぶか、または縫うことにより、本発明の目的とする筒状体を得ることができる。この筒状体にはビニロン帆布でカバーすることもできる。
【００１２】
本発明の水吸上げ筒状体を、壁面、法面の植栽の給水に使用する場合は、下部に溜まっ
た灌水を、乾燥気味になる上部に給水することができる。また、本発明の水吸上げ筒状体
を、人工護岸（河川、池など）の植栽の給水に使用する場合は、川、池の水を吸上げ植栽
に給水することができる。
次に、実施例により本発明をさらに説明する。
【実施例１】
【００１３】
図１（筒状体の平面図）および図２（図１の横断面図）に示すとおり、ビニロン製の筒状布袋１（径５０ｍｍ、長さ９０ｃｍ）に、セラミックス粉末２（粒径０．３５ｍｍ以下）を充填し、振動を加えて充填密度１．５ｇ／ｃｍ３とし、開口部３を縫い、筒状体４を得た。この筒状体４の水吸上げ高さは、１日経過後で７０ｃｍ、２日経過後で８０ｃｍ、３日経過後で９０ｃｍであつた。
【００１４】
比較例１
実施例１において、セラミックス粉末（粒径０．３５ｍｍ以下）の代わりに、粒状のセラミックス（粒径２ｍｍ前後）を使用した以外は、実施例１と同様にして筒状体を得た。ただし、粒状のセラミックスの充填密度は０．６ｇ／ｃｍ３までしか上がらなかった。この筒状体の吸上げ高さは、１日経過後で２０ｃｍ、２日経過後で３０ｃｍであり、１ヶ月経過後でも６０ｃｍであつた。
この結果より、実施例１により得た筒状体は、保水・給水能力および根腐れ防止効果が、比較例１に比べ優れていることを示している。
【実施例２】
【００１５】
樹木の根腐れ防止例
図３に示すとおり、排水性不良土壌８に植穴部分７を掘り、黒曜石パーライトからなる底土９を設け、その上に、実施例１で得た長さ９０ｃｍの筒状体４を地上部に１０ｃｍでるように、垂直方向に数本設置し、植穴部分７に土壌を詰めつつ樹木６を植えた。なお、筒状体４の地上部には、筒状体の保護のために、多数の孔を有する樹脂製のキャップ５を付けた。その結果、筒状体は、植穴下部の停滞水約２００ｃｃ／本／日を吸上げ、蒸散することにより、排水不良の土壌を改善し、根腐れを防止することができた。
【実施例３】
【００１６】
池の周りの樹木植栽給水例
図４に示すとおり、池１６の周りに杭１２、その外側に土壌１０、さらにその外側に石積１４を有する池周辺において、杭１２と石積１４の間の土壌１０に一定間隔に穴を掘り、実施例１に使用の筒状体１１を杭１２と平行に、かつ垂直に、その下部の先端が池の水面下になるように埋め、さらに土壌１０に樹木１３を植えた。その結果、筒状体は、樹木の根に充分給水できることを確認した。
【実施例４】
【００１７】
人工護岸の樹木植栽給水例
図５に示すとおり、河川１６の岸側に杭１２、その外側に土壌１０、さらにその外側にコンクリート製護岸１４を有する人工護岸において、杭１２とコンクリート製護岸１４の中間の土壌１０に一定間隔に穴（垂直方向とコンクリート製護岸１４の傾斜に合わせた傾斜方向の二本）を掘り、実施例１に使用の筒状体１１を、この穴に、その下部の先端が池の水面下になるように埋め、さらに土壌１０に樹木１３を植えた。その結果、筒状体は、樹木の根に充分給水できることを確認した。
【実施例５】
【００１８】
コンクリート擁壁の樹木植栽給水例
図６に示すとおり、川１６の岸側に杭１２、その外側に土壌１０、さらにその外側にコンクリート壁１４を有する川岸において、杭１２とコンクリート壁１４の間の土壌１０に一定間隔に穴（垂直方向）を掘り、実施例１に使用の筒状体１１を、この穴に、その下部の先端が池の水面下になるように埋め、さらに土壌１０に樹木１３を植えた。その結果、筒状体は、樹木の根に充分給水できることを確認した。
【実施例６】
【００１９】
壁面緑化基盤の花植栽給水例
図７図（壁面の側面図）に示すとおり、土壌１０を充填した壁面緑化基盤枠１５（幅０．６７m、高さ１．３０５m）内に、実施例１に使用の筒状体１１を２本、垂直に、かつその下部の先端が下部の余剰水１７中に入りむようにして土壌１０中に埋め、その外側の壁面に５段の花棚１８を設け、この花棚１８に地被類（花）１３を植えた。その結果、筒状体は、下部の花棚のみならず、上部の花棚にも充分給水できることを確認した。
【実施例７】
【００２０】
壁面緑化基盤の芝生植栽給水例
図８図（壁面の側面図）に示すとおり、土壌１０を充填した壁面緑化基盤枠１５（幅０．６７m、高さ１．３０５m）内に、実施例１に使用の筒状体１１を２本、垂直に、かつその下部の先端が下部の余剰水１７中に入り込むようにして土壌１０中に埋め、その外側の壁面に芝生層１３を設けた。その結果、筒状体は、芝生層全体にわたり、充分給水できることを確認した。
図９は、図７および図８の裏面図である。
【産業上の利用可能性】
【００２１】
本発明の水吸上げ筒状体は、土中の停滞水の排除用管、低い樹木または高い樹木への通気・保水・給水管、地下水位の高い場所の植栽用管、芝下の停滞水の誘導管などとして有用であり、また壁面、法面、人工護岸の植栽などの給水管として有用である。
【図面の簡単な説明】
【００２２】
【図１】本発明の筒状体の平面図である。
【図２】図１の横断面図である。
【図３】本発明の筒状体の使用例（樹木の根腐れ防止例）図である。
【図４】本発明の筒状体の他の使用例（池の周りの樹木植栽給水例）図である。
【図５】本発明の筒状体の他の使用例（人工護岸の樹木植栽給水例）図である。
【図６】本発明の筒状体の他の使用例（コンクリート擁壁の樹木植栽給水例）図である。
【図７】本発明の筒状体の他の使用例（壁面緑化基盤の花植栽給水例）図である。
【図８】本発明の筒状体の他の使用例（壁面緑化基盤の芝生植栽給水例）図である。
【図９】図７〜８の裏面図である。
【符号の説明】
【００２３】
１    筒状布袋
２    セラミックス粉末
３    開口部
４    筒状体
５    キヤップ
６    樹木
７    植穴部分
８    排水性不良土壌
９    底土
１０  土壌
１１  筒状体
１２  杭
１３  樹木・草花
１４  石積・コンクリート製護岸・コンクリート壁
１５  壁面緑化基盤枠
１６  河川・池
１７  壁面の下部の余剰水
１８  花棚
【図１】
2005261424.tif 000003
【図２】
2005261424.tif 000004
【図３】
2005261424.tif 000005
【図４】
2005261424.tif 000006
【図５】
2005261424.tif 000007
【図６】
2005261424.tif 000008
【図７】
2005261424.tif 000009
【図８】
2005261424.tif 000010
【図９】
2005261424.tif 000011